(57)【特許請求の範囲】
【請求項１】
記録担体を受け入れように、且つ、上記記録担体を動作位置に保持するように構成された記録及び／又は再生装置であって、
上記記録担体に結びつけられる記録担体側伝送コイルと非接触式に通信するためのステーション側伝送コイルを有するトランスポンダー通信ステーションを含み、
上記ステーション側伝送コイルは、平らな形態であり、上記記録担体側伝送コイルに対面する第１の面、及び上記記録担体側伝送コイルから遠い方の第２の面を有し、
保持手段は、上記ステーション側伝送コイルを保持するため設置され、保持手段は、主に上記ステーション側伝送コイルの第２の面から離れる方向に延在し、
上記ステーション側伝送コイルは、ベースプレートに設けられた印刷回路から構成され、
上記ベースプレートは、上記ステーション側伝送コイルから遠い方の面で、保持プレートに結合され、
上記保持プレートは、上記保持手段の一部を構成し、
印刷回路形態の上記ステーション側伝送コイルの内部に、上記ベースプレートは、所与の断面寸法の第１の通路を有し、
上記保持プレートは、上記第１の通路と略同心であり、上記第１の通路の上記断面寸法より小さい断面寸法を有することにより、上記ベースプレートに覆われない、拘束されない外周部位を有し、
上記保持手段は、底壁と、上記底壁に結合される少なくとも１つの側壁と、上記少なくとも１つの側壁に結合され上記少なくとも１つの側壁から水平方向に突設された外周壁とを有したホルダーケースを含み、
上記ホルダーケースは、上記ベースプレートの上記面から、上記第１の通路と上記第２の通路で上記ベースプレートと上記保持プレートとを挿通し、
上記ホルダーケースの上記外周壁は、上記保持プレートの上記拘束されない外周部位と係合することを特徴とする、記録及び／又は再生装置。
【請求項２】
上記保持手段は、シャーシに搭載され上記シャーシから遠い方の一端に平らな結合面を有し上記平らな結合面から始まる中央通路を有する保持ブロックを含み、
上記保持プレートは、上記平らな結合面上に位置し、上記ホルダーケースは、上記中央通路に収容されたことを特徴とする、請求項１記載の記録及び／又は再生装置。
【請求項３】
一端により上記ホルダーケースの底壁の領域に、他の一端により上記シャーシの領域に、作用する固定用螺子が、上記シャーシに上記保持手段を固定するために供給されていることを特徴とする、請求項２記載の記録及び／又は再生装置。
【発明の詳細な説明】
【０００１】
本発明は、請求項１の冒頭部に定義したような記録及び／又は再生装置に関する。
【０００２】
かかる記録及び／又は再生装置は、例えば特許文献国際出願番号WO98/44499A1より知られる。公知の記録及び／又は再生装置は、カセットに収容された記録担体テープを受け入れるように適合されており、この記録担体は、テープを表示する画面上の長手方向に伸張しマルチトラック用磁気ヘッドの助けによりデータを記録することができる複数の平行な隣接したトラックを備えた磁気テープである。
【０００３】
かかる磁気テープカセットに於いて、例えば、磁気テープ特有の追加データだけではなく磁気テープカセットに特有の追加データをも簡易な態様で記録できるようにするため、好ましくは半導体メモリである固体メモリを収容することが、一般的なやり方である。これに関連して、例えば欧州特許文献EP0 373 718 B1が参照される。この特許文献から、固体メモリとの接触結合通信のみがカセットマウント式端子接触を経由して可能であるような構造が知られる。
【０００４】
しかし、いわゆるトランスポンダーシステムは、次第に、記録技術の分野において大々的に慣例となってきた。かかるトランスポンダーシステムに対しては、例えば米国特許第5,345,231A号が参照される。
【０００５】
特許文献WO98/44499A1に開示されたような公知の記録及び／再生装置についての本出願人により実行された更なる発展の過程において、かかる記録及び／再生装置に、カセットに結びつけられるトランスポンダーとの非接触式通信のために設計されるトランスポンダー通信ステーションを付与する要求が浮上した。これらの発展過程において、構造的な概念及び設計が追及され、これにより、適切且つ誤りのない非接触式通信が保証された。
【０００６】
本発明の目的は、請求項１の冒頭部に定義された記録及び／再生装置において、記録及び／又は再生装置に設置されたトランスポンダー通信ステーションと、記録及び／又は再生装置内の動作位置に構造的に簡易な方法により位置する記録担体に結びつけられるトランスポンダーとの間の信頼性のある通信を保証することにある。
【０００７】
この目的を達成するため、請求項１の特徴部に定義された特徴的な機能が、請求項１の冒頭部に定義された記録及び／又は再生装置に追加して提供される。
【０００８】
本発明による特徴的な機能の提供によって、構造的に簡易な態様で、トランスポンダー通信ステーションのステーション側伝送コイル（ステーション側のデータ伝送用コイル）が、動作位置にある記録担体に結びつけられる記録担体側伝送コイル（記録担体側のデータ伝送用コイル）から最適な距離に保持されることが達成され、これは、ステーション側伝送コイルと記録担体側伝送コイルとの間にいずれにせよ存在する空間以上の空間を必要としない保持手段の効果的な構成に起因する。
【０００９】
本発明による記録及び／又は再生装置において、ステーション側伝送コイルは、例えばテーブルのようなホルダーに若しくは砲塔のようなホルダーの結合面に接着された平らな形状に巻かれたコイル線よりなってもよい。しかし、本発明による記録及び／又は再生装置が、請求項２に定義された特徴的機能を更に有するとき、非常に効果的であることが証明されている。このように、構造的に非常に簡易で、信頼性があり、且つ耐磨耗性がある解決手段が得られる。
【００１０】
印刷回路で構成されたステーション側伝送コイルを有した本発明による記録及び／又は再生装置において、「上記ベースプレートは、上記ステーション側伝送コイルから遠い方の面で、保持プレートに結合され、上記保持プレートは、上記保持手段の一部を構成する」という特徴的機能が更に提供されるとき、非常に効果的であることが証明されている。これにより、非常に安定した構成がもたらされる。更に、これにより、ステーション側伝送コイルの特に安定性のある取り付けが保証される。
【００１１】
保持プレートを有した本発明による記録及び／又は再生装置において、「印刷回路形態のステーション側伝送コイルの内部に、上記ベースプレートは、所与の断面寸法の第１の通路を有し、
上記保持プレートは、上記第１の通路と略同心であり、上記第１の通路の上記断面寸法より小さい断面寸法を有することにより、上記ベースプレートに覆われない、拘束されない外周部位を有し、
上記保持手段は、底壁と、上記底壁に結合される少なくとも１つの側壁と、上記少なくとも１つの側壁に結合され上記少なくとも１つの側壁から水平方向に突設された外周壁とを有したホルダーケースを含み、
上記ホルダーケースは、上記ベースプレートの上記面から、上記第１の通路と上記第２の通路で上記ベースプレートと上記保持プレートとを挿通し、
上記ホルダーケースの上記外周壁は、上記保持プレートの上記拘束されない外周部位と係合する」という特徴的機能が更に提供されるとき、非常に効果的であることが証明されている。この場合、請求項２に定義された特徴的機能が更に提供されるとき、効果的であることが更に証明されている。これらの手段は、故障及び欠陥のあるステーション側伝送コイルの場合にステーション側伝送コイルを容易な態様で交換することができるという、大きな効果を有する。
【００１２】
保持手段の簡易な搭載という観点では、請求項３に定義された手段が、ホルダーケースを有した本発明による記録及び／又は再生装置に更に提供されるとき、非常に効果的であることが証明されている。これにより、本発明による記録及び／又は再生装置内の保持手段による特に信頼性のある保持が保証されつつ、完全な保持手段の簡易な交換性が更に達成される。
【００１３】
本発明の上述した局面と同様に更なる局面は、例によって以下に示される実施態様により明らかになり、この例を参照して解明されるだろう。
【００１４】
本発明は、これより例により付与された実施態様を示す図面を参照してより詳細に説明されるだろうが、本発明は、これらに限定されるものではない。
【００１５】
図１は、デジタルデータの記録及び再生のために構成され機能し、大量のデータが記録される手段となる記録及び再生装置１を示す。記録及び再生装置１は、以下単に記憶装置１と称される。
【００１６】
記憶装置１は、全体で９つの特許出願、即ち１９９８年１１月１２日に出願された、出願番号９８ ８９０ ３２２．４、９８ ８９０ ３３３．２、９８ ８９０ ３３５．７、９８ ８９０ ３３６．５、９８ ８９０ ３３７．３、９８ ８９０ ３３８．１、９８ ８９０ ３３９．９、及び９８ ８９０ ３４０．７である先行の欧州特許出願の主要事項を構成する特徴を含む記録及び再生装置の発展型である。上記記録及び再生装置は、１９９８年１１月１５日より米国のラスベカスのコムデックス・フェアーで既に発表されており、結果的に公知になっている。展示された記録及び再生装置によって示された開示内容及び上記９つの欧州特許出願に含まれる実質的な部分は、ここで参照により結合される。これにより、図１に示された記憶装置についての説明の残り部分は、本内容と関連する範囲及び部分についてのみに限定される。更に、本内容は、１９９９年１１月１１日に共に出願された出願番号９９ ８９０ ３６０．３、及び９９ ８９０ ３６１．１である２つの先行の欧州特許出願に対しても参照がなされる。
【００１７】
記憶装置は、図１において一点鎖線のみにより示されており、カセット２を保持するように構成される。カセット２は、リール軸３Ａに対し回転して駆動されることができ磁気テープ４を巻き上げるように構成され機能する供給リール３を、収容し、供給リール３と同様にテープは、図１において一点鎖線のみによって示される。磁気テープ４は、デジタルデータの記録若しくは再生のため、磁気テープ４の長手方向に延在する複数のトラックに沿って走査されることができる。
【００１８】
記憶装置１は、記憶装置１の個々の構成ユニット及び構成部品を保持するシャーシ５を有する。これ以下、本内容において関連性を有する構成ユニット及び構成部品のみについて言及される。
【００１９】
カセット２を保持し、記憶装置１内の動作位置に挿入位置（ローディング位置）から移動させるために、記憶装置１は、移動可能なカセットホルダー６を有する。移動可能なカセットホルダー６は、カセット２がカセットホルダー６に挿入される挿入位置と、挿入されたカセット２が作動位置にある動作位置との間のＬ字形の移動経路に沿って移動可能である。
【００２０】
カセットホルダー６及び記憶装置１の更なる移動可能な装置部品を移動させるために、記憶装置１は、駆動手段７を有する。駆動手段７は、リング状のドライブギアホイール１０を駆動可能にするギア機構９とモータ８とを含む。リング状のドライブギアホイール１０により、カセットホルダー６を移動可能にするカムデバイスは、ギアラックを介して駆動されることができる。
【００２１】
カセットホルダー６が動作位置にあるとき、カセットホルダー６に搭載されたカセット２も、その動作位置にある。既に言及されたように、カセット２は、磁気テープ４が巻かれる供給リール３を収容する。磁気テープ４の自由端では、磁気テープ４は、結合ピン１１に結合される。カセット２の動作位置において、プルアウト部材１３とプルアウトテープ１４とを含むプルアウト手段１２は、結合ピン１１に結合されることができる。図面の明瞭性のため、プルアウトテープ１４は、図１において一点鎖線として示される。プルアウトテープ１４は、プルアウト部材１３から巻き上げリール１５に通され、巻き上げリール１５のハブ部位１６に固定式に接続される。ハブ部位１６は、プルアウト部材１３を受け入れるように構成された凹部１７を有する。記憶装置１の図示されない第１モータ手段により、巻き上げリール１５は、矢印１８によって指示される回転方向に駆動可能である。巻き上げリール１５の回転駆動によって、プルアウトテープ１４及び結果としてプルアウト部材１３が、駆動できるようになり、その結果、プルアウト部材１３の結合ピン１１への結合後、磁気テープ４は、プルアウトテープ１４によりカセット２から引き出されること（プルアウト）ができ、巻き上げリール１５まで移動されることができ、巻き上げリール１５に巻かれることができ、このとき、磁気テープ４への記録若しくは磁気テープ４からの再生が可能である。
【００２２】
記憶装置１は、磁気テープ４を駆動する駆動手段１９を有する。駆動手段１９は、記憶装置１内に巻き上げリール１５を駆動するため設置され巻き上げリール１５をドライブ部材と共同して駆動し駆動手段１９の部分を構成する図示されない第１モータを、含む。駆動手段１９は、第２モータを更に含み、第２モータは、図１に完全に示されておらず、この第２モータのロータを回転可能にする図示されない励起コイルを保持するステーター部のみが示されている。第２モータは、供給リール３に設けられた一致する歯に噛合される冠のような歯を駆動することができ、供給リール３は、従って、供給リール３に磁気テープ４を巻きつけるように第２モータにより矢印２１の方向に駆動される。従って、供給リール３は、駆動手段１９の部分をも構成する。これより、上記２種の歯が、より詳細に説明される。
【００２３】
記憶装置１は、磁気テープ３を案内するガイド手段２２を更に有する。かかる場合、ガイド手段２２は、２つのテープガイドローラ２３，２４を含む。２つのテープガイドローラ２３，２４のそれぞれは、シャーシ５に固定結合されたガイドシャフト２５，２６と、各々のガイドシャフト２５若しくは２６を基準とした円筒形のガイド面２７，２８とを有する。更に、２つのテープガイドローラ２３，２４のそれぞれは、各々の円筒形ガイド面２７，２８の軸方向の２つの端部の領域に於いて、各々のガイドシャフト２５，２６に対し横断的に延在する端部フランジ２９，３０、及び３１，３２を有する。
【００２４】
記憶装置１は、磁気テープ４を走査する機能をするマルチトラック磁気ヘッド３３を更に有する。磁気ヘッド３３は、正確なトラッキングを保証すべく、マルチトラック磁気ヘッド３３の個々の磁石系を磁気テープ４の走査トラックに対し一定に整列させた状態に保持するため磁気ヘッド３３を磁気テープ４の長手方向に対し垂直方向に移動可能にするアクチュエータ手段３４に、搭載される。磁気ヘッド３３は、２つのテープガイドローラ２３，２４の間の領域に配置される。アクチュエータ手段３４と共同して、磁気ヘッド３３は、磁気テープ４の高さの変化に追従することができる。
【００２５】
記憶装置１は、図１には示されていないが図３に部分的に示された、トランスポンダー通信ステーション３５を含む。トランスポンダー通信ステーション３５は、書込み／読取り回路３６と、平らな形態のステーション側伝送コイル３７とを有する。ステーション側伝送コイル３７は、ベースプレート３８上に収容された印刷回路によって構成される。かかる場合、ステーション側伝送コイル３７は、全体で３つのコイル円３９，４０，４１を有しており、内側のコイル円４１の内側の端部４２は、図示されていない伝導リンクを介して接続リード線４４の一端４３に接続されている。外側のコイル円３９は、第２の接続リード線４５に直接通される。２つの接続リード線４４，４５は、ベースプレート３８のＬ字形エクステンション４６に収容される。接続リード線４４，４５は、プラグコネクタープラグ４７に通じる。コネクタープラグ４７は、図示されないソケットコネクターに接続され、そこより、２つの接続リード線４８，４９が、書込み／読取り回路３６に通じる。
【００２６】
ステーション側伝送コイル３７は、磁気テープ４に結びつけられる記録担体側伝送コイル５０と非接触通信するために機能しており、記録担体側伝送コイル５０は、図１に示されていないが図７及び図８に一点鎖線により示されている。記録担体側伝送コイル５０は、カセット２のハウジング内に組み込まれ、集積回路デバイスに接続されており、集積回路デバイスは記録担体側伝送コイル５０と合同で、カセット２若しくは磁気テープ４に特有なデータを記録する役割をするトランスポンダーを構成する。
【００２７】
かかる場合、図３のみならず図７及び図８より明らかなように、且つ前述したように、ステーション側伝送コイル３７は平らな形態である。ステーション側伝送コイル３７は、記録担体側伝送コイル５０に対面する図３で見える側の第１の面と、記録担体側伝送コイル５０から離れた図３で見えない側の第２の面とを有する。
【００２８】
記憶装置１は、ステーション側伝送コイル３７を保持する保持手段５１を有する。特別で且つ効果的な保持手段５１の特徴は、保持手段５１がステーション側伝送コイル３７の第２の面から主に離れる方向に延在することであり、このことは、ステーション側伝送コイル３７との関連で、図７及び図８より明らかなように、保持手段５１が、実質的にカセット２から離れた側のみに設置され、結果的に、カセット２とステーション側伝送コイル３７との間にいずれにせよ存在する小さな空間に更なる空間を一切必要としないことを、意味する。このように、ステーション側伝送コイル３７と記録担体側伝送コイル５０との間の距離が著しく小さい状態に維持されることが、達成され、これは、２つの伝送コイル３７，５０間の適切且つ誤りのない電磁誘導性の通信の観点から非常に好ましいものである。
【００２９】
図２、図７及び図８より明らかなように、ベースプレート３８は、保持手段５１の部分を構成する保持プレート５２に結合されるステーション側伝送コイル３７から離れた側の面を有する。ベースプレート３８と保持プレート５２との結合は、接着結合によりなされる。保持プレート５２は、グラスファイバーで強化された合成樹脂プレートであり、ベースプレート３８を補強する役割をする。
【００３０】
保持手段５１は、記憶装置１のシャーシ５に搭載された保持ブロック５３を更に有しており、このブロックは、図４及び図５に分離して示される。保持ブロック５３は、シャーシ５から離れた端部に、平らな結合面５４を有する。保持ブロック５３は、平らな結合面５４からシャーシ５まで伸張する中央通路５５を更に有する。図２、図７及び図８より明らかなように、保持プレート５２は、保持ブロック５１の平らな結合面５４上に位置する。
【００３１】
特に図７及び図８より明らかなように、ベースプレート３８は、印刷回路の形式のステーション側伝送コイル３７の内部に第１の通路５６を有する。第１の通路５６は、一定断面を有し、円形の角を備えた略長方形である。保持プレート５２は、ベースプレート３８の第１の通路５６に対し略同心である第２の通路５７を有する。第２の通路５７の断面寸法は、第１の断面寸法よりも小さく、この結果、保持プレート５２は、ベースプレート３８により覆われることがない非拘束外周部位５８を有することになる。
【００３２】
保持手段５１は、図６に分離して示されたホルダーケース５９を更に有する。ホルダーケース５９は、底壁６０と、底壁６０に結合された４つの側壁６１，６２，６３，６４とを、４つの側壁６１，６２，６３，６４から水平方向外側に突出し４つの側壁６１，６２，６３，６４に結合した外周壁６５に加えて有する。ホルダーケース５９は、ベースプレート３８の面から、第１の通路５６及び第２の通路５７の位置でベースプレート３８と保持プレート５２とを通過する。従って、ホルダーケース５９の外周壁６５は、保持プレート５２の非拘束外周部位５８に係合される。ホルダーケース５９の２つの側壁６３，６４の外面は、ラッチ用突起６８，６９をそれぞれ有した２つのリブ６６，６７を備える。この２つのラッチ用突起６８，６９は、保持ブロック５３の中央通路５５の領域に形成された溝のような凹部７２，７３にあるラッチ用ショルダー部７０，７１の裏側に係合される。
【００３３】
保持ブロック５３、及び結果として完全な保持手段５１並びにステーション側伝送コイル３７を位置決めし且つ固定するため、以下に述べる手段が設けられる。保持ブロック５３は、平らな結合面から遠い方の端部面の領域に２つの位置決め部位７４，７５を有しており、第１の位置決め部位７４は、円形の断面であり、第２の位置決め部位７５は、楕円形の断面である。２つの位置決め部位７４，７５は、シャーシ５の位置決め穴７６，７７にそれぞれ嵌合される。シャーシ５に保持手段５１を搭載し固定するため、ホルダーケース５９の底壁６０の領域で一端により及びシャーシ５の領域で他の一端により機能する固定用螺子７８が付与される。
【００３４】
本発明は、図１乃至図８を参照して前述された記録及び再生装置の実施例に限定されるものでない。例えば、保持手段は、代替的に、カセットの側壁に隣接するステーション側伝送コイルを保持するため、プレート形のシャーシから垂直方向に伸張する搭載プレートに固定されてよい。更に、前述した記録及び／又は再生装置の場合よりも実質的に厚みのあるベースプレートであって、印刷回路により形成されたステーション側伝送コイル用のベースプレートを使用した構成が、追加の保持プレートを不要にすることを可能としつつ、選択されてよい。本発明は、ディスク状の記録担体に直接配置されて上記コイルに電気的に接続されるトランスポンダーＩＣ、光学的に走査されるディスク状の記録担体、及び記録担体側伝送コイルと協動するように適合された記録及び／又は再生装置にも適用されてよい。
【図面の簡単な説明】
【図１】  本発明による一実施例による、保持手段の補助により保持されたステーション側伝送コイルを有したトランスポンダー通信ステーションを含む記録及び／再生装置を示す平面図である。
【図２】  ステーション側伝送コイルを保持する保持手段を示す、下方からの斜視図である。
【図３】  伝送コイル及び伝送コイルの保持手段が平面視で示された、トランスポンダー通信ステーションを示す図である。
【図４】  図２に示す保持手段の保持ブロックの下方からの斜視図である。
【図５】  図４に示す保持ブロックの上方からの斜視図である。
【図６】  図２に示す保持手段のホルダーケースの下方からの斜視図である。
【図７】  ステーション側伝送コイル及びステーション側伝送コイルを保持する保持手段を示す、図３のラインVII−VIIにより切断された断面図である。
【図８】  ステーション側伝送コイル及びステーション側伝送コイル用保持手段を示す、図３のラインVIII−VIIIにより切断された断面図である。
【図１】
0004739633.tif 000002
【図２】
0004739633.tif 000003
【図３】
0004739633.tif 000004
【図４】
0004739633.tif 000005
【図５】
0004739633.tif 000006
【図６】
0004739633.tif 000007
【図７】
0004739633.tif 000008
【図８】
0004739633.tif 000009